(57)【要約】【課題】女性がいつても、どこでも手軽に自分の生理周期の動きを知ることができる腕時計を提供すること。また、使用者が気軽に「生理周期」と「危険期」を知ることができる計時器を提供すること【解決手段】女性専用の時計に、計時と日付自動表示機能を持つ腕時計のタイマ表示盤に文字盤が設けられ、その文字盤上には女性生理周期表が設けられ、かつ、その文字盤上には指針が設けられ、その指針が腕時計の日付と同期自動的に運行すること。【選択図】図１
0003134665.tif 000002
【実用新案登録請求の範囲】
【請求項１】
計時と日付自動表示機能を持つ腕時計のタイマ表示盤に文字盤が設けられ、その文字盤上には女性生理周期表が設けられ、かつ、その文字盤上には指針が設けられ、その指針が腕時計の日付と同期自動的に運行することを特徴とする生理周期を記録表示する女性専用の時計。
【請求項２】
前記文字盤が、文字盤のローマ字1が初経日で、生理周期調整ボタンにて月経初日にあわせて調整できることを特徴とする請求項１に記載の生理周期を記録表示する女性専用の時計。
【請求項３】
前記文字盤が、文字盤のローマ字14を基準排卵日とし、±2日の間を妊娠期、ピンク色の警報信号で表示することを特徴とする請求項１に記載の生理周期を記録表示する女性専用の時計。
【請求項４】
計時と日付自動表示機能を持つ計時器に生理変化を表示する赤、白記号を設定し、その記号が計時器のタイマ表示と自動的同時に色が変わることを特徴とする生理周期を記録表示する女性専用の計時器。
【考案の詳細な説明】
【技術分野】
【０００１】
本考案は、女性の生理周期を記録表示する女性専用の時計に関するもので、使用者が生理周期の初日に生理周期調整ボタンで手軽に設定操作することによって、生理周期が明らかに記録され、使用者はいつでも、どこでも自分の生理周期を把握することができることに関する。
【背景技術】
【０００２】
昔の日時計から現今の振り子型掛け時計、その後航海或いは持ち歩きのために発明された懐中時計、またここ数年に渡って水晶とクォーツにより製造された数々の水晶電子時計に至るまで、時表示の正確性が大幅にアップされてきた。人類の要求に応じて、カレンダー窓つきの腕時計、スピードを測るストップウォーチ、血圧或いは脈拍を測れる腕時計などさまざまな機械式、電子式の新たな用途を持つ腕時計が発明され使用されてきたが、残念なことに女性の生理周期を記録表示する時計については何の手段もない。
【０００３】
女性は生まれて毎月に生理現象の月経で、順調の時はまだ良いが、不順或いは不定期の時は困惑きわめるものである。この困惑と苦しみを克服するため、ある女性は毎日の早起床時に体温を測って生理周期の排卵或いは安全期を記録、例えば、掛けカレンダー或いは卓上カレンダーに記号をつけ、その成行きを確認してきた。だが忙しい日々の仕事の疲れでうっかりして記録をするのを忘れたり、又は生理周期の乱れで正確的に生理期を、把握することができないため記録するのをあきらめたものもある。
【考案の開示】
【考案が解決しようとする課題】
【０００４】
そこで本考案は、前記に鑑み、その第1の目的は女性がいつでも、どこでも手軽に自分の生理周期の動きを知ることができる腕時計を提供することにある。
【０００５】
本考案の第2の目的は、普通の計時器(目覚まし時計又は腕時計)の文字盤に生理周期の文字盤（28日を一周期とする）を設け、月経初日を生理周期の一日目とし、生理周期調整ボタンにて計時器の日付と同期合わせて運行させて、使用者が気軽に「生理周期」と「危険期」を知ることができる計時器を提供することにある。
【課題を解決するための手段】
【０００６】
前記目的を達成するため、本考案の女性専用の時計は、計時と日付自動表示機能を持つ腕時計のタイマ表示盤に文字盤が設けられ、その文字盤上には女性生理周期表が設けられ、かつ、その文字盤上には指針が設けられ、その指針が腕時計の日付と同期自動的に運行することからなる。
又、前記文字盤が、文字盤のローマ字1が初経日で、生理周期調整ボタンにて月経初日にあわせて調整できることが好適である。
又、前記文字盤が、文字盤のローマ字14を基準排卵日とし、±2日の間を妊娠期、ピンク色の警報信号で表示することが好適である。
又、計時と日付自動表示機能を持つ計時器に生理変化を表示する赤、白記号を設定し、その記号が計時器のタイマ表示と自動的同時に色が変わることが好適である。
【考案を実施するための最良の形態】
【０００７】
以下実施例と添附図面にてより更に詳しく説明する。
各国の医学研究レポートによれば、女性の生理期は初経の第一回目から更年期閉経前の最終回に至るまで、その約90％〜95％の女性生理周期サイクルが平均的に28日で、5％〜10％が女性生理周期不規則(±2〜3日)系に属すると報告されている。いずれにしろ、女性の生理周期は安全(避妊)期または排卵受孕期の計算等との関係が密切であるので、生理期の把握は女性にとっては非常に重要なものである。
【０００８】
女性の生理期とは、女性が受胎をするため子宮内のポロゲステロンが増え、内膜が増殖して厚くなり、精子が着床することのプロセスで、その期間、若し女性が受胎していない場合、子宮内膜の増殖が止まり、剥げ落ちて体外に排出する月経いわゆる「生理期」が形成される。普通、子宮内膜が増殖し始めてから終わるまでの期間が約4〜7日で、個人の体質によって異なる。
【０００９】
危険排卵期とは、つまり最も受胎しやすい期間を言う。医学研究レポートによれば、危険期は女性がその月の生理期初日から14日目が基準排卵日であり、この基準排卵日と前後2日の間が「妊娠期」(俗に言う危険期)である。
【００１０】
前記女性生理周期の生理期、排卵期が規則的にある点に鑑み、本考案は計時と日付自動登録表示機能を持つ普通の計時器(目覚まし時計又は腕時計)のタイマ表示盤面に生理周期表を設け、この生理周期表の指針が計時器の日付と同期合わせて自動的に女性生理期を指示表示する女性専用の時計を提供するものである。
【００１１】
図1、図1-1、図1-2及び図3の1は腕時計、掛け時計又は目覚まし時計の計時器である。タイマ表示盤面11には曜日と日付のある自動表示窓14があり、その曜日、日付、時及び分は通常調整ボタン10によって調整されている。本考案はこれら計時器のタイマ表示盤面11上に生理周期表2が設けられ、その文字盤13には指針15があつて腕時計の日付と同時に日が一日経つと、この指針15も1桁進む。生理周期表2の文字盤13は28桁に分け(正常女性の28日生理周期)、その中央のほうは赤の警報区16である。文字盤13のローマ字１は女性生理期の1日目を表示し、生理周期調整操作ボタン12により月経来潮初日と合わせて設定する。若し月経初日が一週間前の日であれば、指針15を腕時計の自動表示窓14の曜日と日付とに対応して生理周期表の数字7のところにおき、調整すればよい。指針15が赤色の警報区16に達すると、使用者は今が危険排卵期であることがはっきりと分かる。赤色の警報区16は、一般的に女性の生理期開始日から14日目と前後2日の間が受胎しやすい危険期である。
【００１２】
上記本考案の計時器タイマ表示盤11上に設けていた生理周期表2を、デジタル生理日付表示窓131とデジタル生理日付表示窓131の上に警報窓132として置き換えることができる。警報窓132からは白色、ピンク又は赤色の警報信号を表示する。白色が安全期、ピンクが排卵日前後(12,13日目と15,16日目)を、赤色は排卵日である (図3を参照)。生理期を経て、生理初日から何日経過したかをはっきりと覚えていれば、デジタル生理日付表示指針を実際の生理日に調整することができる。例えば、初経から8日目であれば、デジタル生理表示指針を生理周期表2の指示をローマ字8にすればよい。若し明確でない場合は、次回月経初日のときに調整すればよい。この腕時計のタイマ表示盤11は目覚まし時計のタイマ表示盤にも取り変えることができる(図1-2を参照)。
【００１３】
又本考案は携帯電話のスクリーンにも設定することができる。即ち、携帯電話のカレンダー用メイン・プログラムに本考案を付加プログラムとして加ればよい。例えば、「総メニュ」ボタンを押し、「設定」で選択して「カレンダー」を選び「生理カレンダー」にし、「生理日付設定」とした後、「確認」ボタンを押して確認する(図4の4−1〜5を参照)。設定を終了したとき、携帯電話のスクリーン17には年月日が現れる（図4の4-6を参照）。例えば生理初日日付が12月06日、即ち生理期初日開始から12月18日に至るとスクリーン表示窓17にピンク色の心型フラッシュ警報信号171が現れる。12月20日いわゆる生理期の危険期に至ると、赤色の心型フラッシュ警報信号172に変わり、12月22日に至ると、12月18日の時と同じくピンク色の心型フラッシュ警報信号171に戻る。
【図面の簡単な説明】
【００１４】
【図１】本考案の生理周期表を伝統的な腕時計の時、分表示盤に設けたことを示す図である。
【図１−１】本考案の生理周期表を伝統的な計時器の時、分表示盤に設けたことを示す図である。
【図１−２】本考案の生理周期表を伝統的な目覚まし時計の時、分表示盤に設けたことを示す図である。
【図２】本考案の生理周期表文字盤を拡大した図である。
【図３】本考案の生理周期表をデジタル生理日付表示窓と警報窓にしたことを示す図である。
【図４】本考案の生理周期表を携帯電話のスクリーンに設定した時のプロセス図である。
【符号の説明】
【００１５】
1  腕時計
2  生理周期表  
10  時、分調整ボタン
11  タイマ表示盤
12  生理周期調整操作ボタン
13  文字盤
131  デジタル生理日付表示窓
1310  安全記号
1311  中期記号
1312  末期記号
132  警報窓
133  警報記号
14  曜日、日付表示窓
15  指針
16  赤色の警報区
17  携帯電話のスクリーン
171  警報信号(ピンク色)
172  警報信号(赤色)
【図１】
0003134665.tif 000003
【図３】
0003134665.tif 000004
【図１−１】
0003134665.tif 000005
【図１−２】
0003134665.tif 000006
【図２】
0003134665.tif 000007
【図４】
0003134665.tif 000008
【手続補正書】
【提出日】平成19年6月22日(2007.6.22)
【手続補正１】
【補正対象書類名】実用新案登録請求の範囲
【補正対象項目名】請求項４
【補正方法】変更
【補正の内容】
【請求項４】
計時と日付自動表示機能を持つ計時器に生理変化を表示する赤、白記号を設定し、その記号が計時器のタイマ表示と自動的同時に色が変わることを特徴とする請求項１に記載の生理周期を記録表示する女性専用の計時器